(57)【要約】【課題】メディアＩＤサーバにおいて、送出中の放送コンテンツに対してリアルタイムでメディアＩＤを生成するようにし、前記メディアＩＤサーバの代わりにユーザのモバイル装置において、コンテンツを比較して識別するようにすることによって、メディアＩＤ格納所の構築費用を減らし、メディアＩＤサーバにおけるサービス負荷を減らして、より多いユーザを同時間に支援できるようにするパーソナライズド・サービス提供システムおよび方法を提供する。【解決手段】放送視聴端末装置から表出中の放送コンテンツを獲得するメディア受信部、およびメディア受信部で獲得した放送コンテンツを基盤にメディアＩＤを生成し、生成されたメディアＩＤとメディアＩＤサーバから受信したメディアＩＤリスト内のメディアＩＤを比較してチャネルＩＤを識別し、識別されたチャネルＩＤとユーザＩＤを含むパーソナライズド・サービス要請メッセージをパーソナライズド情報提供サーバに伝送してパーソナライズド・サービスを要請する比較部を含む。【選択図】図１
2012134980.tif 000002
【特許請求の範囲】
【請求項１】
放送コンテンツを受信してメディア識別子（Ｉｄｅｎｔｉｆｉｅｒ、ＩＤ）を生成するメディアＩＤジェネレータと；
前記メディアＩＤジェネレータで生成されたメディアＩＤと前記メディアＩＤの生成時間を識別するためのタイムスタンプ情報を共に格納するメディアＩＤバッファ；および
前記メディアＩＤバッファに格納された少なくとも１つのチャネルのメディアＩＤをリーディングしてメディアＩＤリストを生成した後にモバイル装置に出力する通信部を含むことを特徴とするパーソナライズド・サービスのためのメディア識別子サーバ。
【請求項２】
前記通信部は、
予め指定された伝送周期に応じて、現在時間情報を基準に、前記メディアＩＤバッファから各チャネルのメディアＩＤをリーディングしてメディアＩＤリストを生成した後、マルチキャスト形態でモバイル装置に伝送することを特徴とする、請求項１に記載のパーソナライズド・サービスのためのメディア識別子サーバ。
【請求項３】
前記通信部は、
モバイル装置からメディアＩＤリスト要請メッセージが受信されれば、前記メディアＩＤリスト要請メッセージに含まれた時間情報を抽出し、前記抽出した時間情報を基準に前記メディアＩＤバッファから各チャネルのメディアＩＤをリーディングしてメディアＩＤリストを生成した後、ユニキャスト形態で前記モバイル装置に伝送することを特徴とする、請求項１に記載のパーソナライズド・サービスのためのメディア識別子サーバ。
【請求項４】
前記通信部は、
前記メディアＩＤリスト要請メッセージから抽出した時間情報と前記メディアＩＤバッファに格納されたタイムスタンプ情報を比較して、前記メディアＩＤバッファからメディアＩＤをリーディングする位置を決定することを特徴とする、請求項３に記載のパーソナライズド・サービスのためのメディア識別子サーバ。
【請求項５】
前記メディアＩＤジェネレータは、
受信した放送コンテンツを基盤に１つ以上のメディアＩＤセグメントをリアルタイムで生成し、前記メディアＩＤセグメントの生成時間を識別するためのタイムスタンプ情報を前記生成されたメディアＩＤセグメントと共に前記メディアＩＤバッファに格納することを特徴とする、請求項１に記載のパーソナライズド・サービスのためのメディア識別子サーバ。
【請求項６】
前記通信部は、
前記メディアＩＤセグメントを集めてメディアＩＤを構成し、前記メディアＩＤセグメントでメディアＩＤを構成する時、初めてのメディアＩＤセグメントのタイムスタンプ情報を前記メディアＩＤのタイムスタンプ情報に設定することを特徴とする、請求項５に記載のパーソナライズド・サービスのためのメディア識別子サーバ。
【請求項７】
一定時間が経過したメディアＩＤセグメントは、前記メディアＩＤバッファから順に除去されることを特徴とする、請求項５に記載のパーソナライズド・サービスのためのメディア識別子サーバ。
【請求項８】
放送コンテンツを受信してメディア識別子（Ｉｄｅｎｔｉｆｉｅｒ、ＩＤ）を生成するステップと；
前記メディアＩＤを生成するステップで生成されたメディアＩＤと前記メディアＩＤの生成時間を識別するためのタイムスタンプ情報を共にメディアＩＤバッファに格納するステップ；および
前記メディアＩＤバッファに格納された少なくとも１つのチャネルのメディアＩＤをリーディングしてメディアＩＤリストを生成した後にモバイル装置に伝送するステップを含むことを特徴とするメディア識別子サーバのパーソナライズド・サービス提供方法。
【請求項９】
前記メディアＩＤリストを伝送するステップは、
予め指定された伝送周期に応じて、現在時間情報を基準に、前記メディアＩＤバッファから各チャネルのメディアＩＤをリーディングしてメディアＩＤリストを生成した後、マルチキャスト形態でモバイル装置に伝送することを特徴とする、請求項８に記載のメディア識別子サーバのパーソナライズド・サービス提供方法。
【請求項１０】
前記メディアＩＤリストを伝送するステップは、
モバイル装置からメディアＩＤリスト要請メッセージが受信されれば、前記メディアＩＤリスト要請メッセージに含まれた時間情報を抽出し、前記抽出した時間情報を基準に前記メディアＩＤバッファから各チャネルのメディアＩＤをリーディングしてメディアＩＤリストを生成した後、ユニキャスト形態で前記モバイル装置に伝送することを特徴とする、請求項８に記載のメディア識別子サーバのパーソナライズド・サービス提供方法。
【請求項１１】
前記メディアＩＤリストを伝送するステップは、
前記メディアＩＤリスト要請メッセージから抽出した時間情報と前記メディアＩＤバッファに格納されたタイムスタンプ情報を比較して、前記メディアＩＤバッファからメディアＩＤをリーディングする位置を決定することを特徴とする、請求項１０に記載のメディア識別子サーバのパーソナライズド・サービス提供方法。
【請求項１２】
前記メディアＩＤを生成するステップは、
受信した放送コンテンツを基盤に１つ以上のメディアＩＤセグメントをリアルタイムで生成するステップ；および
前記メディアＩＤセグメントの生成時間を識別するためのタイムスタンプ情報を上記生成されたメディアＩＤセグメントと共に前記メディアＩＤバッファに格納するステップを含むことを特徴とする、請求項８に記載のメディア識別子サーバのパーソナライズド・サービス提供方法。
【請求項１３】
前記メディアＩＤリストを伝送するステップは、
前記メディアＩＤセグメントを集めてメディアＩＤを構成し、前記メディアＩＤセグメントでメディアＩＤを構成する時、初めてのメディアＩＤセグメントのタイムスタンプ情報を前記メディアＩＤのタイムスタンプ情報に設定することを特徴とする、請求項１２に記載のメディア識別子サーバのパーソナライズド・サービス提供方法。
【請求項１４】
一定時間が経過したメディアＩＤセグメントは、前記メディアＩＤバッファから順に除去されるステップをさらに含むことを特徴とする、請求項１２に記載のメディア識別子サーバのパーソナライズド・サービス提供方法。
【請求項１５】
放送視聴端末装置から表出中の放送コンテンツを獲得するメディア受信部；および
前記メディア受信部で獲得した放送コンテンツを基盤にメディアＩＤを生成し、上記生成されたメディアＩＤとメディアＩＤサーバから受信したメディアＩＤリスト内のメディアＩＤを比較してチャネルＩＤを識別し、前記識別されたチャネルＩＤとユーザＩＤを含むパーソナライズド・サービス要請メッセージをパーソナライズド情報提供サーバに伝送してパーソナライズド・サービスを要請する比較部を含むことを特徴とするパーソナライズド・サービスのためのモバイル装置。
【請求項１６】
前記メディア受信部は、前記モバイル装置に取り付けられたカメラとマイクのうちの少なくとも１つを含むことを特徴とする、請求項１５に記載のモバイル装置。
【請求項１７】
放送視聴端末装置から表出中の放送コンテンツを獲得してメディアＩＤを生成するステップと；
前記メディアＩＤを生成するステップで生成されたメディアＩＤとメディアＩＤサーバから受信したメディアＩＤリスト内のメディアＩＤを比較してチャネルＩＤを識別するステップ；および
前記識別されたチャネルＩＤとユーザＩＤを含むパーソナライズド・サービス要請メッセージをパーソナライズド情報提供サーバに伝送して、パーソナライズド・サービスを要請するステップを含むことを特徴とするモバイル装置のパーソナライズド・サービス提供方法。
【請求項１８】
ユーザのパーソナライズド・サービス要請が入力されれば、メディアＩＤ比較のための時間情報とユーザＩＤを含むメディアＩＤリスト要請メッセージを前記メディアＩＤサーバに伝送するステップをさらに含むことを特徴とする、請求項１７に記載のモバイル装置のパーソナライズド・サービス提供方法。
【発明の詳細な説明】
【技術分野】
【０００１】
本発明は、放送システムに関し、より詳しくは、メディア識別子を利用してユーザの視聴中の放送コンテンツを識別し、ユーザにパーソナライズド・サービスを提供するためのパーソナライズド・サービス提供システムおよび方法に関する。
【背景技術】
【０００２】
メディア放送のためのパーソナライズド・サービスは、ユーザの視聴中の放送コンテンツおよびその他状況に合った情報を提供する付加サービスである。そして、このような付加サービスのためには、放送コンテンツを識別できる方法が必要である。放送コンテンツを識別する方法には色々なものがあるが、次は放送コンテンツを識別する従来の方法である。
【０００３】
一例として、ＴＶやセットトップボックス（ＳＴＢ）のような放送視聴端末装置に現在放送中のコンテンツ情報を探す機能を追加する方法がある。しかし、このような機能を追加するためには、前記放送視聴端末装置の修正が必要な短所がある。また、放送事業者は前記付加サービスのための機能が自身の放送端末装置に追加されることを望まない傾向が強く、一放送事業者に適用された技術を他の放送事業者に適用し難いという短所がある。
【０００４】
他例として、ＫＴのクリア・スキン（ｃｌｅａｒ  ｓｋｉｎ）のように事前に放送コンテンツ別に場面に応じて広告を挿入し、放送送出時に前記広告を共に送出する方法がある。この方法は、放送視聴端末装置にコンテンツ識別機能が追加されなくても良いという長所がある。しかし、広告挿入時に場面転換認識レベルでは自動で処理が可能であるが、詳細フレーム別広告対象の領域指定作業は人による手作業が必要であり、サービス適用が難しいという短所がある。
【０００５】
また他の例として、グーグル（ｇｏｏｇｌｅ）のオーディオ・フィンガープリント（ｆｉｎｇｅｒｐｒｉｎｔ）方式のように、オーディオ基盤のメディア識別子（Ｉｄｅｎｔｉｆｉｅｒ；ＩＤ）を利用して放送コンテンツを識別する方法がある。しかし、この方法は、事前に放送コンテンツを分析してメディアＩＤを抽出し格納するための格納所が必要な短所がある。また、メディアＩＤサーバにおいて、格納所とユーザのメディアＩＤを比較して識別する機能を遂行するため、ユーザ数の増加に伴って前記メディアＩＤサーバにおけるサービス遂行のための負荷が増加する短所がある。
【発明の概要】
【発明が解決しようとする課題】
【０００６】
本発明は、前記のような問題点を解決するためのものであり、本発明は、メディアＩＤサーバにおいて、送出中の放送コンテンツに対してリアルタイムでメディアＩＤを生成するようにし、前記メディアＩＤサーバの代わりにユーザのモバイル装置において、コンテンツを比較して識別するようにすることによって、メディアＩＤ格納所の構築費用を減らし、メディアＩＤサーバにおけるサービス負荷を減らして、より多いユーザを同時間に支援できるようにするパーソナライズド・サービス提供システムおよび方法を提供することにその目的がある。
【課題を解決するための手段】
【０００７】
前記目的を達成するための、本発明の一様態として、放送コンテンツを受信してメディア識別子（Ｉｄｅｎｔｉｆｉｅｒ、ＩＤ）を生成するメディアＩＤジェネレータと、前記メディアＩＤジェネレータで生成されたメディアＩＤと前記メディアＩＤの生成時間を識別するためのタイムスタンプ情報を共に格納するメディアＩＤバッファ、および前記メディアＩＤバッファに格納された少なくとも１つのチャネルのメディアＩＤをリーディングしてメディアＩＤリストを生成した後にモバイル装置に出力する通信部を含むメディア識別子サーバが提供される。
【０００８】
前記通信部は、予め指定された伝送周期に応じて、現在時間情報を基準に、前記メディアＩＤバッファから各チャネルのメディアＩＤをリーディングしてメディアＩＤリストを生成した後、マルチキャスト形態でモバイル装置に伝送することが好ましい。
【０００９】
また、前記通信部は、モバイル装置からメディアＩＤリスト要請メッセージが受信されれば、前記メディアＩＤリスト要請メッセージに含まれた時間情報を抽出し、前記抽出した時間情報を基準に前記メディアＩＤバッファから各チャネルのメディアＩＤをリーディングしてメディアＩＤリストを生成した後、ユニキャスト形態で前記モバイル装置に伝送することが好ましい。
【００１０】
前記通信部は、前記メディアＩＤリスト要請メッセージから抽出した時間情報と前記メディアＩＤバッファに格納されたタイムスタンプ情報を比較して、前記メディアＩＤバッファからメディアＩＤをリーディングする位置を決定することが好ましい。
【００１１】
また、前記メディアＩＤジェネレータは、受信した放送コンテンツを基盤に１つ以上のメディアＩＤセグメントをリアルタイムで生成し、前記メディアＩＤセグメントの生成時間を識別するためのタイムスタンプ情報を前記生成されたメディアＩＤセグメントと共に前記メディアＩＤバッファに格納することが好ましい。
【００１２】
前記通信部は、前記メディアＩＤセグメントを集めてメディアＩＤを構成し、前記メディアＩＤセグメントでメディアＩＤを構成する時、初めてのメディアＩＤセグメントのタイムスタンプ情報を前記メディアＩＤのタイムスタンプ情報に設定することが好ましい。
また、前記メディア識別子サーバにおいては、一定時間が経過したメディアＩＤセグメントは、前記メディアＩＤバッファから順に除去されることが好ましい。
【００１３】
前記目的を達成するための、本発明の他の様態として、放送コンテンツを受信してメディア識別子（Ｉｄｅｎｔｉｆｉｅｒ、ＩＤ）を生成するステップと、前記メディアＩＤを生成するステップで生成されたメディアＩＤと前記メディアＩＤの生成時間を識別するためのタイムスタンプ情報を共にメディアＩＤバッファに格納するステップ、および前記メディアＩＤバッファに格納された少なくとも１つのチャネルのメディアＩＤをリーディングしてメディアＩＤリストを生成した後にモバイル装置に伝送するステップを含むメディア識別子サーバのパーソナライズド・サービス提供方法が提供される。
【００１４】
前記メディアＩＤリストを伝送するステップは、予め指定された伝送周期に応じて、現在時間情報を基準に、前記メディアＩＤバッファから各チャネルのメディアＩＤをリーディングしてメディアＩＤリストを生成した後、マルチキャスト形態でモバイル装置に伝送することが好ましい。
【００１５】
また、前記メディアＩＤリストを伝送するステップは、モバイル装置からメディアＩＤリスト要請メッセージが受信されれば、前記メディアＩＤリスト要請メッセージに含まれた時間情報を抽出し、前記抽出した時間情報を基準に前記メディアＩＤバッファから各チャネルのメディアＩＤをリーディングしてメディアＩＤリストを生成した後、ユニキャスト形態で前記モバイル装置に伝送することが好ましい。
【００１６】
前記メディアＩＤリストを伝送するステップは、前記メディアＩＤリスト要請メッセージから抽出した時間情報と前記メディアＩＤバッファに格納されたタイムスタンプ情報を比較して、前記メディアＩＤバッファからメディアＩＤをリーディングする位置を決定することが好ましい。
【００１７】
また、前記メディアＩＤを生成するステップは、受信した放送コンテンツを基盤に１つ以上のメディアＩＤセグメントをリアルタイムで生成するステップ、および前記メディアＩＤセグメントの生成時間を識別するためのタイムスタンプ情報を上記生成されたメディアＩＤセグメントと共に前記メディアＩＤバッファに格納するステップを含むことが好ましい。
【００１８】
前記メディアＩＤリストを伝送するステップは、前記メディアＩＤセグメントを集めてメディアＩＤを構成し、前記メディアＩＤセグメントでメディアＩＤを構成する時、初めてのメディアＩＤセグメントのタイムスタンプ情報を前記メディアＩＤのタイムスタンプ情報に設定することが好ましい。
【００１９】
また、メディア識別子サーバのパーソナライズド・サービス提供方法は、一定時間が経過したメディアＩＤセグメントは、前記メディアＩＤバッファから順に除去されるステップをさらに含むことが好ましい。
【００２０】
前記目的を達成するための、本発明のまた他の様態として、放送視聴端末装置から表出中の放送コンテンツを獲得するメディア受信部、および前記メディア受信部で獲得した放送コンテンツを基盤にメディアＩＤを生成し、上記生成されたメディアＩＤとメディアＩＤサーバから受信したメディアＩＤリスト内のメディアＩＤを比較してチャネルＩＤを識別し、前記識別されたチャネルＩＤとユーザＩＤを含むパーソナライズド・サービス要請メッセージをパーソナライズド情報提供サーバに伝送してパーソナライズド・サービスを要請する比較部を含むモバイル装置が提供される。
【００２１】
前記メディア受信部は、前記モバイル装置に取り付けられたカメラとマイクのうちの少なくとも１つを含むことが好ましい。
【００２２】
前記目的を達成するための、本発明のまた他の様態として、放送視聴端末装置から表出中の放送コンテンツを獲得してメディアＩＤを生成するステップと、前記メディアＩＤを生成するステップで生成されたメディアＩＤとメディアＩＤサーバから受信したメディアＩＤリスト内のメディアＩＤを比較してチャネルＩＤを識別するステップ、および前記識別されたチャネルＩＤとユーザＩＤを含むパーソナライズド・サービス要請メッセージをパーソナライズド情報提供サーバに伝送して、パーソナライズド・サービスを要請するステップを含むパーソナライズド・サービス提供方法が提供される。
【００２３】
前記パーソナライズド・サービス提供方法は、ユーザのパーソナライズド・サービス要請が入力されれば、メディアＩＤ比較のための時間情報とユーザＩＤを含むメディアＩＤリスト要請メッセージを前記メディアＩＤサーバに伝送するステップをさらに含むことが好ましい。
【発明の効果】
【００２４】
本発明によるパーソナライズド・サービス提供システムおよび方法は次のような効果がある。
第１に、メディアＩＤを事前に生成せずにリアルタイムで生成することによって、大容量のメディアＩＤ格納所が必要ではなくなるため、メディアＩＤ格納所の構築費用を減らすことができる。
【００２５】
第２に、メディアＩＤ整合機能をメディアＩＤサーバ（またはメディアＩＤ分析器）ではなく各ユーザのモバイル装置に分散させることによって、メディアＩＤサーバにおけるサービス負荷を減らして、より多いユーザを同時間に支援することができる。
【００２６】
第３に、ＴＶやセットトップボックス（ＳＴＢ）のような放送視聴端末装置を修正することなく、その代わりにモバイル装置を利用するため、放送サービスに対するパーソナライズド・サービスの従属性を解消することができ、関連融合サービス産業の活性化に寄与できる。
【図面の簡単な説明】
【００２７】
【図１】本発明によるパーソナライズド・サービスを提供するための全体システムの一実施形態を示す構成ブロック図である。
【図２】本発明によるパーソナライズド・サービスを提供する方法の一実施形態を示すフローチャートである。
【図３】本発明によるメディアＩＤサーバの一実施形態を示す詳細ブロック図である。
【図４】本発明による通信部の詳細動作の実施形態を示すフローチャートである。
【図５】本発明による通信部の詳細動作の実施形態を示すフローチャートである。
【発明を実施するための形態】
【００２８】
以下、前記目的を具体的に実現できる本発明の望ましい実施形態を添付図面を参照して説明する。この時、図面に示され、また、これらによって説明される本発明の構成と作用は少なくとも一実施形態として説明されるものであって、これによって本発明の技術的思想とその核心構成および作用が制限されるものではない。
【００２９】
本発明で用いられる用語は、本発明での機能を考慮して、可能な限り現在広く用いられる一般的な用語を選択したが、これは、当分野に務める技術者の意図または慣例または新しい技術の出現などによって異なり得る。また、特定の場合、出願人が任意に選定した用語もあり、この場合には該当する発明の説明部分に詳細にその意味を記載することにする。したがって、本発明で用いられる用語は単なる用語の名称ではなく、その用語が有する意味と本発明の全般にわたった内容を土台に定義されなければならないことを明らかにしておく。
【００３０】
本発明で用いられる用語中、パーソナライズド・サービスはユーザの所望のプログラム、ターゲット広告などであってもよく、また、前記プログラムに関連した付加情報、例えば、あらすじ、プレビュー、ＭＰ３、ＯＳＴ、ミュージックビデオ（ｍｕｓｉｃ  ｖｉｄｅｏ）、メタデータ、電子プログラムガイド（ＥＰＧ）などであってもよい。また、コンテンツまたはメディアという用語は、オーディオ、ビデオのような全形態のメディアを含む。
【００３１】
本発明によるモバイル装置は、有線と無線のうちの少なくとも１つを利用して両方向通信が可能であり、スピーカーとカメラのうちの少なくとも１つの機能を具備することを一実施形態とする。また、前記モバイル装置は、放送コンテンツを受信してディスプレイできる機能をさらに含むこともできる。例えば、前記モバイル装置は携帯電話であってもよい。また、放送視聴端末装置はＴＶやセットトップボックス（ＳＴＢ）であってもよく、放送受信可能なモバイル装置であってもよい。
【００３２】
本発明において、コンテンツ識別用として使用するメディアＩＤはオーディオおよびビデオコンテンツの特徴を分析して作った識別子であり、２進数数字の配列で構成されることを一実施形態とする。また、前記メディアＩＤの長さは、メディアＩＤ分析アルゴリズムおよび分析時間によって異なり得る。また、メディアＩＤリストは、各チャネル別に生成されたメディアＩＤの群を指し示す。
【００３３】
図１は、本発明によるパーソナライズド・サービスを提供するためのシステムの一実施形態を示す構成ブロック図である。
図１は、ＴＶヘッドエンド１０１、前記ＴＶヘッドエンド１０１から伝送される放送コンテンツを受信してスピーカーと画面のうちの少なくとも１つとして表出する放送視聴端末装置１０２、前記ＴＶヘッドエンド１０１から伝送される放送コンテンツからリアルタイムでメディアＩＤを生成し、メディアＩＤリストを提供するメディアＩＤサーバ１０３、前記メディアＩＤサーバ１０３から提供するメディアＩＤリストを利用してメディアＩＤ整合を行うモバイル装置１０４、および前記モバイル装置１０４の要請に応じてパーソナライズド・サービスを前記モバイル装置１０４に提供するパーソナライズド情報提供サーバ１０５で構成される。前記メディアＩＤサーバ１０３はメディアＩＤ分析器ともいう。前記モバイル装置１０４は、メディア受信装置、メディアＩＤ比較部、およびパーソナライズド・サービスクライアントを含む。前記メディア受信装置はカメラ、マイクなどであってもよい。前記メディアＩＤ比較部は、メディアＩＤリスト要請とメディアＩＤ比較を行う。前記パーソナライズド・サービスクライアントは、前記パーソナライズド情報提供サーバ１０５にパーソナライズド・サービスを要請し、前記パーソナライズド情報提供サーバ１０５から伝送されるパーソナライズド・サービスを受信して処理する。
【００３４】
このように構成された図１において、前記ＴＶヘッドエンド１０１は、ＴＶ放送網を介して放送視聴端末装置１０２に放送コンテンツを送出し、それと同時にメディアＩＤサーバ１０３にも同一の放送コンテンツをリアルタイムで伝送する。前記メディアＩＤサーバ１０３は、受信した放送コンテンツからリアルタイムでメディアＩＤを生成して格納する。また、前記メディアＩＤサーバ１０３は、ユーザのモバイル装置１０４の要請または予め指定された伝送周期に応じて色々なチャネルのメディアＩＤらを集めて生成したメディアＩＤリストを前記モバイル装置１０４に提供する。前記メディアＩＤサーバ１０３は、放送コンテンツのうちのオーディオおよびビデオの特徴を分析してメディアＩＤを生成することを一実施形態とする。また、前記メディアＩＤ識別子は、２進数数字の配列で構成することを一実施形態とする。この時、前記メディアＩＤ長さは、メディアＩＤ分析アルゴリズムおよび分析時間によって異なり得る。
【００３５】
一方、前記モバイル装置１０４は、メディア受信装置を利用して前記放送視聴端末装置１０２から音響および／または映像を獲得する。また、前記モバイル装置１０４のメディアＩＤ比較部においては、メディアＩＤの生成およびメディアＩＤリストとの比較を通じて視聴中のチャネルを識別する。また、識別したチャネル情報とユーザ情報を前記パーソナライズド情報提供サーバ１０５に伝送し、前記パーソナライズド情報提供サーバ１０５からユーザが要請したパーソナライズド情報を受信する。
【００３６】
図２は、本発明によるパーソナライズド・サービスを提供する方法の一実施形態を示すフローチャートである。
図２において、ＴＶヘッドエンド１０１は、放送コンテンツを放送視聴端末装置１０２に送出する（Ｓ２０１）と同時にメディアＩＤサーバ１０３に送出する（Ｓ２０２）。前記メディアＩＤサーバ１０３においては、受信した放送コンテンツのオーディオ、ビデオを分析してリアルタイムでメディアＩＤを生成する。すなわち、前記メディアＩＤサーバ１０３においては、各チャネル別に受信した放送コンテンツからリアルタイムでメディアＩＤを生成し、これらを集めてメディアＩＤリストの形態で管理する。
【００３７】
ユーザは、放送視聴中、ターゲット広告などパーソナライズド・サービスの提供を望む場合、望む時点にモバイル装置１０４のボタンおよびその他ユーザインターフェースを介してモバイル装置１０４にこれを要請する。そうすると、前記モバイル装置１０４は、メディアＩＤ比較開始時間を決定し、決定された比較開始時間情報を含むメディアＩＤリスト要請メッセージをメディアＩＤサーバ１０３に伝送して、メディアＩＤリストを要請する（Ｓ２０４）。それと同時に、前記モバイル装置１０４は、前記比較開始時間を基準に視聴中の放送コンテンツをメディア受信装置（例、マイク、カメラ）を介して獲得しメディアＩＤを生成する（Ｓ２０３）。この時、前記モバイル装置１０４は、メディア受信装置を利用して放送視聴端末装置１０２から放送コンテンツを獲得した後、前記メディアＩＤサーバ１０３にメディアＩＤリストを要請することもできる。前記モバイル装置１０４は、前記メディアＩＤサーバ１０３にメディアＩＤリストを要請する時、ユーザＩＤもメディアＩＤリスト要請メッセージに含ませて伝送する。前記ユーザＩＤは、ユーザのモバイル装置１０４を区分できる識別子である。
【００３８】
本発明の他の実施形態として、前記メディアＩＤサーバ１０３は、予め指定された伝送周期でメディアＩＤリストを該当モバイル装置１０４に提供することもできる。この場合、モバイル装置１０４は、周期的にマルチキャスト形態で伝送されるメディアＩＤリストを待つ。また、前記モバイル装置１０４は、予め指定された伝送周期を基準に視聴中の放送コンテンツをメディア受信装置（例、マイク、カメラ）を介して獲得しメディアＩＤを生成する。本発明において、前記メディアＩＤサーバ１０３は、モバイル装置の要請に応じてメディアＩＤリストを伝送する時にはユニキャスト形態で伝送し、予め指定された伝送周期でメディアＩＤリストを伝送する時にはマルチキャスト形態で伝送することを一実施形態とする。
【００３９】
伝送周期別マルチキャストの伝送または前記モバイル装置１０４の要請に応じて前記メディアＩＤサーバ１０３がメディアＩＤリストを送れば（Ｓ２０５）、前記モバイル装置１０４は、メディアＩＤリストの各メディアＩＤと自身が作ったメディアＩＤを比較してチャネルＩＤを識別する。
【００４０】
次に、前記モバイル装置１０４は、識別されたチャネルＩＤとユーザＩＤを含むパーソナライズド・サービス要請メッセージを前記パーソナライズド情報提供サーバ１０５に伝送して、パーソナライズド・サービスを要請する（Ｓ２０６）。
前記パーソナライズド情報提供サーバ１０５は、前記モバイル装置１０４から受信した情報に適したパーソナライズド・サービスを前記モバイル装置１０４に提供する（Ｓ２０７）。
【００４１】
図３は、本発明の一実施形態によるメディアＩＤサーバ１０３の構造を示す図面である。
前記メディアＩＤサーバ１０３は、ＴＶヘッドエンド１０１から受信した特定チャネルの放送コンテンツのオーディオ、ビデオを分析してメディアＩＤを生成する１つ以上のメディアＩＤジェネレータ（３０１−３０ｎ）、各メディアＩＤジェネレータ（３０１−３０ｎ）で生成されたメディアＩＤを格納する１つ以上のメディアＩＤバッファ（４０１−４０ｎ）、および前記モバイル装置１０４からメディアＩＤリスト要請メッセージが受信されるか、予め指定された伝送周期になれば、前記メディアＩＤバッファ（４０１−４０ｎ）に格納されたメディアＩＤを集めてメディアＩＤリスト生成した後、前記モバイル装置１０４に伝送する通信部５０１を含む。
【００４２】
前記メディアＩＤジェネレータ（３０１−３０ｎ）とメディアＩＤバッファ（４０１−４０ｎ）は、チャネル別にメディアＩＤを生成して格納することを一実施形態とする。この時、メディアＩＤの生成と格納はセグメント（ｓｅｇｍｅｎｔ）単位でなされることを一実施形態とする。
【００４３】
本発明は、一実施形態として、１つのメディアＩＤジェネレータ３０１とメディアＩＤバッファ４０１を利用したメディアＩＤの生成および格納過程を詳細に説明する。
すなわち、前記ＴＶヘッドエンド１０１から該当チャネルの放送コンテンツが受信されれば、前記メディアＩＤサーバ１０３のメディアＩＤジェネレータ３０１はリアルタイムでメディアＩＤを生成する。この時、メディアＩＤはセグメント単位で生成する。また、セグメント単位で生成されたメディアＩＤは、生成時間情報（例、タイムスタンプ）と共にメディアＩＤバッファ４０１に格納する。
【００４４】
前記メディアＩＤセグメントは、コンテンツ中、比較的に短い時間（１秒以下）の分量から生成した小さいメディアＩＤであり、その大きさが小さいためにコンテンツを識別するのに不充分である。
したがって、本発明においては、メディアＩＤバッファ４０１に格納された一定個数以上のメディアＩＤセグメントの群をメディアＩＤということにする。この時、メディアＩＤを構成するための最小メディアＩＤセグメント数はメディアＩＤ分析アルゴリズムによって異なる。また、メディアＩＤセグメントでメディアＩＤを構成する時、初めてのメディアＩＤセグメントのタイムスタンプ情報を前記メディアＩＤのタイムスタンプ情報に設定することを一実施形態とする。
【００４５】
一方、一定時間が経過したメディアＩＤセグメントは、前記メディアＩＤバッファ４０１から順に除去されることを一実施形態とする。
前記通信部５０１においては、ユーザのモバイル装置１０４からメディアＩＤリスト要請メッセージが受信されるか、予め指定された伝送周期になれば、図４または図５のようにメディアＩＤリストを生成して前記モバイル装置１０４に伝送する。
【００４６】
図４は、前記モバイル装置１０４からメディアＩＤリスト要請メッセージが受信される時、前記メディアＩＤサーバ１０３からメディアＩＤリストメッセージを伝送する手続きを示す本発明のフローチャートである。
図４を参照すれば、前記通信部５０１においては、前記モバイル装置１０４から受信したメディアＩＤリスト要請メッセージから比較開始時間情報を抽出する（Ｓ６０１）。
【００４７】
また、前記抽出した時間情報を基準に各チャネルのメディアＩＤバッファからメディアＩＤを取り出す位置（すなわち、ａｄｄｒｅｓｓ）を決定する（Ｓ６０２）。この時、メディアＩＤバッファ側においてメッセージの比較開始時間情報と比較するための時間値として各メディアＩＤセグメントのタイムスタンプ情報を利用することを一実施形態とする。
【００４８】
前記メディアＩＤバッファ内の決定された位置から一定個数のメディアＩＤセグメントをリーディングする。このようにリーディングしたメディアＩＤセグメントを括ってメディアＩＤを生成する（Ｓ６０３）。
次に、前記通信部５０１においては、各チャネル別メディアＩＤバッファから取り出したメディアＩＤを括ってメディアＩＤリストとして生成する（Ｓ６０４）。
【００４９】
そして、前記メディアＩＤリストをメディアＩＤリストメッセージに含ませて、前記メディアＩＤリスト要請メッセージを伝送したモバイル装置１０４に伝送する。
前記モバイル装置１０４においては、受信したメディアＩＤリストメッセージに含まれたメディアＩＤリストの各メディアＩＤと自身が作ったメディアＩＤを比較して、チャネルＩＤを識別する。
【００５０】
次に、前記モバイル装置１０４は、識別されたチャネルＩＤとユーザＩＤを含むパーソナライズド・サービス要請メッセージを前記パーソナライズド情報提供サーバ１０５に伝送し、パーソナライズド・サービスを要請する。前記パーソナライズド情報提供サーバ１０５は、前記モバイル装置１０４から受信した情報に適したパーソナライズド・サービスを前記モバイル装置１０４に提供する。
【００５１】
図５は、メディアＩＤリスト要請メッセージなしで、メディアＩＤサーバ１０３に設定されたメディアＩＤリスト伝送周期に応じてメディアＩＤリストメッセージを伝送する手続きを示す本発明のフローチャートである。
すなわち、タイマーによってメッセージ伝送周期だけの時間が経過すれば（Ｓ７０１）、現在時間を基準に各チャネルのメディアＩＤバッファからメディアＩＤを取り出する位置（すなわち、ａｄｄｒｅｓｓ）を決定する（Ｓ７０２）。この時、メディアＩＤバッファ側においてメッセージの比較開始時間情報と比較するための時間値として各メディアＩＤセグメントのタイムスタンプ情報を利用することを一実施形態とする。
【００５２】
前記メディアＩＤバッファ内の決定された位置から一定個数のメディアＩＤセグメントをリーディングする。このようにリーディングしたメディアＩＤセグメントを括ってメディアＩＤを生成する（Ｓ７０３）。
次に、前記通信部５０１においては、各チャネル別メディアＩＤバッファから取り出したメディアＩＤを括ってメディアＩＤリストとして生成する（Ｓ７０４）。そして、前記メディアＩＤリストをメディアＩＤリストメッセージに含ませた後、マルチキャスト形態でいくつかのモバイル装置１０４に同時に伝送する。
【００５３】
前記モバイル装置１０４においては、マルチキャスト形態でメディアＩＤリストメッセージが受信されれば、受信したメディアＩＤリストメッセージに含まれたメディアＩＤリストの各メディアＩＤと自身が作ったメディアＩＤを比較して、チャネルＩＤを識別する。
【００５４】
次に、前記モバイル装置１０４は、識別されたチャネルＩＤとユーザＩＤを含むパーソナライズド・サービス要請メッセージを前記パーソナライズド情報提供サーバ１０５に伝送し、パーソナライズド・サービスを要請する。前記パーソナライズド情報提供サーバ１０５は、前記モバイル装置１０４から受信した情報に適したパーソナライズド・サービスを前記モバイル装置１０４に提供する。
【００５５】
以上のように本発明によるパーソナライズド・サービス提供システムは、メディアＩＤをリアルタイムで生成することによって、大容量のメディアＩＤ格納所が必要ではなくなるのでメディアＩＤ格納所の構築費用を減らすことができ、メディアＩＤ整合機能を各ユーザのモバイル装置に分散させることによって、メディアＩＤサーバにおけるサービス負荷を減らしてより多いユーザを同時間に支援できるようになる。また、ＴＶやセットトップボックス（ＳＴＢ）のような放送視聴端末装置を修正せず、その代わりにモバイル装置を利用するので、放送サービスに対するパーソナライズド・サービスの従属性を解消することができ、関連融合サービス産業の活性化に寄与できるようになる。
【００５６】
今まで説明した本発明は、上述した実施形態に限定されず、添付の請求範囲から分かるように、本発明が属した技術分野の通常の知識を有した者によって変形することが可能であり、このような変形は本発明の範囲に属する。
【符号の説明】
【００５７】
１０１・・・ヘッドエンド
１０２・・・放送視聴端末装置
１０３・・・メディアＩＤサーバ
１０４・・・モバイル装置
１０５・・・パーソナライズド情報提供サーバ
３０１−３０ｎ・・・メディアＩＤジェネレータ
４０１−４０ｎ・・・メディアＩＤバッファ
５０１・・・通信部
【図１】
2012134980.tif 000003
【図２】
2012134980.tif 000004
【図３】
2012134980.tif 000005
【図４】
2012134980.tif 000006
【図５】
2012134980.tif 000007